(57)【要約】【課題】レバーの組み付け性を向上させ、レバーの外れを防いでレバー収容部の破損を防ぐ。【解決手段】本発明のレバー式コネクタ１０は、相手側コネクタとの嵌合および離脱を行うための倍力機構としてのレバー４０と、このレバー４０を回動可能に支持する支持軸６４を有するリテーナ６０と、レバー４０を収容可能なレバー収容部２２がレバー４０の板厚方向と直交する方向に開口して設けられているとともに、リテーナ６０を収容するリテーナ収容部２６がレバー４０の板厚方向に開口して設けられているハウジング２０とを備え、レバー４０をレバー収容部２２に装着した後、リテーナ６０がリテーナ収容部２６に装着されるようになっており、リテーナ６０は、リテーナ収容部２６からレバー収容部２２に入り込んでレバー４０が支持軸６４から外れる方向へ移動することを防ぐ外れ防止部（６５、６９）を備える構成としたところに特徴を有する。【選択図】図１
2015099718.tif 000002
【特許請求の範囲】
【請求項１】
相手側コネクタとの嵌合および離脱を行うための倍力機構としてのレバーと、
このレバーを回動可能に支持する支持軸を有する軸部材と、
前記レバーを収容可能なレバー収容部が前記レバーの板厚方向と直交する方向に開口して設けられているとともに、前記軸部材を収容する軸部材収容部が前記レバーの板厚方向に開口して設けられているハウジングとを備え、前記レバーを前記レバー収容部に装着した後、前記軸部材が前記軸部材収容部に装着されるようになっており、
前記軸部材は、前記軸部材収容部から前記レバー収容部に入り込んで前記レバーが前記支持軸から外れる方向へ移動することを防ぐ外れ防止部を備えることを特徴とするレバー式コネクタ。
【請求項２】
前記外れ防止部は、前記軸部材における前記支持軸が形成された面に形成された突起部と、この突起部の先端に形成された係合部とからなり、前記突起部が前記レバーに形成された溝部に挿通され、前記係合部が前記溝部の周縁部に対して前記レバーの板厚方向に係合することで前記レバーが前記支持軸から外れることが防止されていることを特徴とする請求項１に記載のレバー式コネクタ。
【請求項３】
前記軸部材は、前記軸部材収容部から一部飛び出した仮係止位置と前記軸部材収容部に全て収容された本係止位置との間を移動可能とされており、前記レバーは、前記支持軸が嵌合する支持凹部を有し、前記仮係止位置では前記レバーが回動可能に支持される程度に前記支持軸の一部が前記支持凹部に嵌合していることを特徴とする請求項１または請求項２に記載のレバー式コネクタ。
【請求項４】
前記仮係止位置では前記突起部の前記係合部が前記溝部の周縁部に対して前記レバーの板厚方向と直交する方向から当接することで前記レバーが回動不能となることを特徴とする請求項３に記載のレバー式コネクタ。
【請求項５】
前記レバーは、前記レバー収容部から一部飛び出した初期位置と前記レバー収容部に全て収容された嵌合位置との間を回動可能に前記支持軸に支持されており、前記レバーを前記レバー収容部に対して前記嵌合位置に装着した後、前記軸部材を前記軸部材収容部に対して前記仮係止位置に装着することで、前記レバーが前記初期位置側へ回動不能となることを特徴とする請求項４に記載のレバー式コネクタ。
【発明の詳細な説明】
【技術分野】
【０００１】
本発明は、回動可能なレバーが装着されたレバー式コネクタに関する。
【背景技術】
【０００２】
従来、この種のレバー式コネクタとして、下記特許文献１に記載のものが知られている。このレバー式コネクタは合成樹脂製のハウジングを有し、このハウジングには、レバーを収容する収容凹部が設けられている。収容凹部は、後方に開口する形態をなす開口部を構成する天井壁を有し、この収容凹部には、レバーを回動可能に支持する支持軸が立設されている。一方、レバーには、支持軸が嵌合可能な軸受孔が形成されており、レバーを収容凹部に後方から装着すると、レバーが支持軸に乗り上げることで収容凹部の天井壁が拡開変形し、支持軸が軸受孔に嵌合すると、収容凹部の天井壁が弾性的に復帰する。
【先行技術文献】
【特許文献】
【０００３】
【特許文献１】特開２００３−２４９３０４号公報
【発明の概要】
【発明が解決しようとする課題】
【０００４】
しかしながら、上記のレバー式コネクタでは、収容凹部の天井壁が拡開変形する際に、収容凹部が破損するおそれがある。また、極数が増えてハウジングの幅寸法が大きくなると、収容凹部の天井壁が拡開変形しやすくなってレバーが外れたり、最悪の場合、収容凹部が破損したりするおそれもある。
【０００５】
本発明は上記のような事情に基づいて完成されたものであって、レバーの組み付け性を向上させるとともに、極数の増加に伴ってハウジングが大型化した場合であってもレバーの外れを防いで、上記収容凹部等のレバー収容部の破損を防ぐことを目的とする。
【課題を解決するための手段】
【０００６】
本発明のレバー式コネクタは、相手側コネクタとの嵌合および離脱を行うための倍力機構としてのレバーと、このレバーを回動可能に支持する支持軸を有する軸部材と、レバーを収容可能なレバー収容部がレバーの板厚方向と直交する方向に開口して設けられているとともに、軸部材を収容する軸部材収容部がレバーの板厚方向に開口して設けられているハウジングとを備え、レバーをレバー収容部に装着した後、軸部材が軸部材収容部に装着されるようになっており、軸部材は、軸部材収容部からレバー収容部に入り込んでレバーが支持軸から外れる方向へ移動することを防ぐ外れ防止部を備える構成としたところに特徴を有する。
【０００７】
このような構成によると、レバーをレバー収容部に装着した後、軸部材が軸部材収容部に装着されるようになっているため、レバー収容部の開口部を拡開変形させなくてもレバーをレバー収容部に装着することができ、レバーの組み付け性を向上させることができる。また、外れ防止部によってレバーの外れを防ぐことができ、レバー収容部の破損を防ぐことができる。
【０００８】
本発明の実施の態様として、以下の構成が好ましい。
外れ防止部は、軸部材における支持軸が形成された面に形成された突起部と、この突起部の先端に形成された係合部とからなり、突起部がレバーに形成された溝部に挿通され、係合部が溝部の周縁部に対してレバーの板厚方向に係合することでレバーが支持軸から外れることが防止されている構成としてもよい。
このような構成によると、レバーの一部に溝部を形成してこの溝部に突起部を挿通させるだけでよいため、軸部材の形状や大きさに合わせて外れ防止部を設ける位置を自由に設定することができる。
【０００９】
軸部材は、軸部材収容部から一部飛び出した仮係止位置と軸部材収容部に全て収容された本係止位置との間を移動可能とされており、レバーは、支持軸が嵌合する支持凹部を有し、仮係止位置ではレバーが回動可能に支持される程度に支持軸の一部が支持凹部に嵌合している構成としてもよい。
このような構成によると、仮係止位置で支持軸の一部が支持凹部に嵌合することから、仮係止位置と本係止位置のいずれにおいてもレバーを回動可能に支持することができる。
【００１０】
仮係止位置では突起部の係合部が溝部の周縁部に対してレバーの板厚方向と直交する方向から当接することでレバーが回動不能となる構成としてもよい。
このような構成によると、軸部材が仮係止位置にあるときにレバーが不意に回動してしまうことを防止できる。
【００１１】
レバーは、レバー収容部から一部飛び出した初期位置とレバー収容部に全て収容された嵌合位置との間を回動可能に支持軸に支持されており、レバーをレバー収容部に対して嵌合位置に装着した後、軸部材を軸部材収容部に対して仮係止位置に装着することで、レバーが初期位置側へ回動不能となる構成としてもよい。
このような構成によると、レバーが初期位置で電線に引っ掛かる等して力を受けたとしても、外れ防止部によってレバーの引き上げが防止され、レバー収容部の開口部を拡開変形させることはなく、レバー収容部が破損することはない。また、軸部材が仮係止位置にあるときにレバーが嵌合位置から初期位置側へ回動してしまうことを防止できる。
【発明の効果】
【００１２】
本発明によれば、レバーの組み付け性を向上させることができ、極数の増加に伴ってハウジングが大型化した場合であってもレバーの外れを防いでレバー収容部の破損を防ぐことができる。
【図面の簡単な説明】
【００１３】
【図１】レバー式コネクタの構成部品を斜め後方から見た分解斜視図
【図２】レバーが嵌合位置にあるレバー式コネクタを斜め前方から見た斜視図
【図３】レバーが嵌合位置にあるレバー式コネクタの平面図
【図４】レバーが嵌合位置にあるレバー式コネクタの側面図
【図５】レバーが嵌合位置にあるレバー式コネクタの底面図
【図６】レバーが初期位置にあるレバー式コネクタを斜め後方から見た斜視図
【図７】レバーが初期位置にあるレバー式コネクタの平面図
【図８】レバーが初期位置にあるレバー式コネクタの側面図
【図９】レバーが初期位置にあるレバー式コネクタの正面図
【図１０】図９におけるＡ−Ａ線断面図
【図１１】図１０におけるＢ−Ｂ線断面図
【図１２】図１０におけるＣ−Ｃ線断面図
【図１３】レバーが嵌合位置にあるレバー式コネクタの正面図
【図１４】図１３におけるＤ−Ｄ線断面図
【図１５】図１４におけるＥ−Ｅ線断面図
【図１６】図１４におけるＦ−Ｆ線断面図
【図１７】図１６においてリテーナをリテーナ収容部に装着する前の状態を示した断面図
【図１８】ハウジングを斜め前方から見た斜視図
【図１９】ハウジングの底面図
【図２０】レバーを斜め前方から見た斜視図
【図２１】レバーの平面図
【図２２】レバーの底面図
【図２３】リテーナを斜め前方から見た斜視図
【図２４】リテーナの平面図
【発明を実施するための形態】
【００１４】
＜実施形態＞
本発明の実施形態を図１ないし図２４の図面を参照しながら説明する。本実施形態におけるレバー式コネクタ１０は、図１に示すように、ハウジング２０と、レバー４０と、リテーナ６０とを備えて構成されている。このレバー式コネクタ１０は雌コネクタであって、相手側コネクタである雄コネクタ（図示せず）に嵌合可能とされている。なお、以下の説明において前後方向とは、両コネクタ１０の嵌合方向を基準とし、互いの嵌合面側を前側とする。
【００１５】
ハウジング２０は合成樹脂製であって、複数の雌端子（図示せず）が収容された端子保持部２１と、この端子保持部２１の上方に配されレバー４０を収容するレバー収容部２２とを備えて構成されている。端子保持部２１には、雌端子を収容するキャビティ２３が前後方向に貫通して複数形成されている。また、レバー収容部２２は、後方に開口する形態をなす開口部２４と、レバー収容部２２の上面を一部切り欠くことで形成されたカムピン挿通孔２５とを備えている。このカムピン挿通孔２５は、前方に開口する形態をなし、相手側コネクタに設けられたカムピン（図示せず）を前方から受け入れ可能となっている。
【００１６】
レバー４０は合成樹脂製であって、板状をなすカム板４１と、このカム板４１の後端部に形成された操作部４２とを備えて構成されている。カム板４１には、同カム板４１の板厚方向に弾性変形可能なロックアーム４３が形成されている。ロックアーム４３は前後方向に延びる形態をなし、その後端が自由端とされている。また、図２０に示すように、ロックアーム４３の前後方向中央部には、ロック突部４４が形成されている。また、ロックアーム４３の後端部には、解除操作用の押圧片４５が形成されている。この押圧片４５は、図１に示すように、略方形の環状をなす操作部４２によってほぼ全周から覆われた形態をなし、図２１に示すように、操作部４２の上辺部を切り欠くことによって形成された切欠部４６を通して押圧片４５が上方に臨む配置とされている。
【００１７】
レバー収容部２２の下方には、図１７に示すように、リテーナ６０を収容するリテーナ収容部２６が形成されている。レバー収容部２２の内部空間とリテーナ収容部２６の内部空間とは互いに連通しており、この連通部分２７においては、リテーナ収容部２６にリテーナ６０が収容されることでリテーナ６０の後述するリテーナ本体部６２の天井壁６３の上面によってレバー収容部２２の下面が構成されるようになっている。
【００１８】
また、レバー収容部２２の上面には、図９および図１０に示すように、ロック受け部２８が下方に突出して形成されている。このロック受け部２８は、ロックアーム４３のロック突部４４に係止することにより、レバー４０の回動を次述する嵌合位置に保持できるようになっている。
【００１９】
レバー４０は、図７に示す初期位置と、図３に示す嵌合位置との間を回動可能とされている。図２０に示すように、レバー４０のカム板４１には、カム溝５２が形成されており、相手側コネクタには、カム溝５２に係合可能なカムピン（図示せず）が形成されている。カム溝５２は、カム板４１の上面における外縁部に開口して形成され、図１０に示す初期位置ではカム板４１の前端部に位置して前方からカムピンを受け入れ可能に配されている。
【００２０】
カム板４１の外周縁におけるカム溝５２の近傍には、図２１に示すように、レバー４０を初期位置に保持するレバーロック５１が形成されている。このレバーロック５１は片持ち状をなし、カム板４１の外周縁に沿って延びる形態をなしている。一方、ハウジング２０のレバー収容部２２には、図１０に示すように、レバーロック５１に後方から係止するレバー係止部３１が形成されている。レバー式コネクタ１０と相手側コネクタを嵌合させると、相手側コネクタに設けられた解除リブがレバーロック５１を解除方向に撓ませることで、レバーロック５１とレバー係止部３１との係止状態が解除され、レバー４０の嵌合位置側への回動が許容される。
【００２１】
リテーナ６０は合成樹脂製であって、図２３に示すように、格子状をなす端子係止部６１と、この端子係止部６１の後方に連なって形成されたリテーナ本体部６２とを備えている。リテーナ本体部６２は全体として略方形の立体形状をなし、端子係止部６１よりも高い寸法を有しているものの、端子係止部６１と連続する格子状をなしている。また、リテーナ本体部６２の格子部分の最上段には、天井壁６３が形成されており、この天井壁６３の上面には、支持軸６４および突起部６５が幅方向に間隔を空けて立設されている。
【００２２】
端子係止部６１の幅方向両側には、一対のリテーナロック６６が形成されている。一方、図１８に示すように、ハウジング２０の側壁には、リテーナロック６６が係止可能な仮係止突起２９および本係止突起３０が下から順に並んで設けられている。図１５に示すように、リテーナロック６６が仮係止突起２９に係止した状態では、リテーナ６０が仮係止位置に保持される。また、明確に図示はしないものの、リテーナロック６６が本係止突起３０に係止した状態では、リテーナ６０が本係止位置に保持される。
【００２３】
仮係止位置では、図４に示すように、リテーナ６０の一部がハウジング２０の下面から飛び出した状態となっている。図１５に示すように、リテーナ６０の大部分は、リテーナ収容部２６に収容されている。仮係止位置では、リテーナ本体部６２の端子挿通孔６７とハウジング２０のキャビティ２３との高さ位置が揃うようになっており、ハウジング２０の後方からキャビティ２３に雌端子を挿入可能となっている。
【００２４】
本係止位置では、図９に示すように、リテーナ６０の下面がハウジング２０の下面と面一をなし、図１１および図１２に示すように、リテーナ６０の全てがリテーナ収容部２６に収容された状態となっている。本係止位置では、リテーナ本体部６２の端子挿通孔６７がハウジング２０のキャビティ２３よりもやや上方に位置するようになっており、キャビティ２３に収容された雌端子が端子係止部６１によって後方に抜け止めされた状態に保持される。
【００２５】
支持軸６４の先端には、図２３に示すように、抜止片６８が後方に張り出して形成されている。一方、レバー４０のカム板４１には、図２１に示すように、支持軸６４が嵌合する軸孔４７が板厚方向に貫通して形成されている。また、軸孔４７の内周壁には、抜止片６８が上方から係止することでレバー４０の抜け止めを行う抜止凹部４８が設けられている。
【００２６】
レバー４０をレバー収容部２２に対して嵌合位置に装着した後、リテーナ６０をリテーナ収容部２６に対して仮係止位置に装着すると、図１４に示すように、抜止片６８が軸孔４７をそのまま挿通し、図１５に示すように、支持軸６４が軸孔４７に嵌合するようになっている。この状態では、支持軸６４の全てが軸孔４７に嵌合していないものの、レバー４０を回動可能に支持するには十分な嵌合深さで支持軸６４が軸孔４７に嵌合している。そして、リテーナ６０を本係止位置まで押し込み、レバー４０を初期位置側へ回動させると、抜止片６８が抜止凹部４８に上方から係止してレバー４０が支持軸６４に抜止状態で保持されるようになっている。
【００２７】
突起部６５の先端には、図２３に示すように、一対の係合部６９が両側に張り出して形成されている。係合部６９の張り出し方向は、抜止片６８の張り出し方向とほぼ直交している。一方、レバー４０のカム板４１には、突起部６５が挿通される溝部４９が板厚方向に貫通して形成されている。溝部４９は、軸孔４７を中心として周方向に延びる形態をなしている。図１４に示すように、溝部４９の内周壁のうち径方向に対向する両対向壁には、一対の周縁部５０がそれぞれ周方向に延びて形成されている。
【００２８】
レバー４０をレバー収容部２２に対して嵌合位置に装着した後、リテーナ６０をリテーナ収容部２６に対して仮係止位置に装着したときには、図１６に示すように、周縁部５０が抜止片６８に前方から当接することでレバー４０が回動不能とされ、嵌合位置に保持される。そして、リテーナ６０を本係止位置まで押し込むと、抜止片６８が周縁部５０よりも上方に移動することで、レバー４０の回動が許容される。レバー４０を初期位置側へ回動させると、図１１に示すように、周縁部５０には係合部６９が上方から係合可能となる。このとき、レバー４０は、図７に示すように、ハウジング２０の後方に飛び出した状態となっており、図示しない電線がレバー４０に引っ掛かって、このレバー４０が引き上げられるおそれがある。このような場合であっても、一対の周縁部５０が一対の係合部６９に下方から係合することによってレバー４０の引き上げが阻止される。したがって、レバー４０の外れを防止できるとともに、レバー収容部２２の開口部２４がレバー４０から上向きの力を受けて拡開し破損することを防止できる。
【００２９】
本実施形態は以上のような構成であって、続いてその作用を説明する。まず、レバー４０をハウジング２０のレバー収容部２２に対して嵌合位置に組み付けた後、リテーナ６０をハウジング２０のリテーナ収容部２６に対して仮係止位置に組み付ける。すると、支持軸６４がリテーナ収容部２６からレバー収容部２２に進入し、レバー４０の軸孔４７に下方から嵌合する。これにより、レバー４０がレバー収容部２２において回動可能に装着されるものの、ロックアーム４３のロック突部４４とレバー収容部２２のロック受け部２８との係止に加え、突起部６５の係合部６９と溝部４９の周縁部５０との係合によりレバー４０が嵌合位置において回動不能に保持される。
【００３０】
次に、ハウジング２０のキャビティ２３に対して後方から雌端子を挿入する。全ての雌端子を挿入し終わったら、リテーナ６０を仮係止位置から本係止位置へ押し込む。すると、全ての雌端子がリテーナ６０の端子係止部６１によって後方から係止された状態になる。また、リテーナ６０を本係止位置へ押し込むことによって突起部６５の係合部６９と溝部４９の周縁部５０との係合が解除される。さらに、ロックアーム４３の押圧片４５を指で押し下げてロック突部４４とロック受け部２８との係止を解除する。これにより、レバー４０の回動が許容され、レバー４０を嵌合位置から初期位置側へ回動させる。レバー４０が初期位置に至ると、図７に示すように、操作部４２が開口部２４に当接することでレバー４０の回動が停止され、図１０に示すように、レバーロック５１がレバー係止部３１に係止することでレバー４０が初期位置に保持される。
【００３１】
ここで、雌端子に接続された電線が上下方向に振られる等してレバー４０が引き上げられるおそれがある。このとき、溝部４９の一対の周縁部５０が突起部６５の一対の係合部６９に下方から係合してレバー４０の引き上げが阻止される。その結果、レバー４０がレバー収容部２２の上面に当接してレバー収容部２２の開口部２４が拡開変形することはなく、レバー収容部２２の破損を未然に防ぐことができる。さらに、レバー４０が支持軸６４から外れることも防ぐことができる。
【００３２】
この後、レバー式コネクタ１０を相手側コネクタに浅く嵌合させると、相手側のカムピンがカム溝５２の入口に進入するとともに、相手側の解除リブがレバーロック５１を解除方向に撓ませることでレバー４０の回動が許容される。そして、レバー４０を初期位置から嵌合位置に向けて回動させると、カムピンとカム溝５２の係合に基づくカム作用によって、レバー式コネクタ１０が相手側コネクタに引き寄せられる。また、ロックアーム４３のロック突部４４がレバー収容部２２のロック受け部２８に係止することでレバー４０が嵌合位置に保持される。
【００３３】
次に、レバー式コネクタ１０を相手側コネクタから離脱させる場合について簡単に説明する。まず、押圧片４５を下方に押し込んでロックアーム４３を撓ませ、ロック突部４４とロック受け部２８の係止状態を解除する。この状態で操作部４２に指を掛けてレバー４０を嵌合位置から初期位置へ回動させる。すると、相手側のカムピンとカム溝５２の係合によってレバー式コネクタ１０が相手側コネクタから引き離される。そして、レバー４０が初期位置に至った後、レバー式コネクタ１０を相手側コネクタから手動で引き離すと、互いに離脱した状態になる。
【００３４】
以上のように本実施形態では、レバー４０をレバー収容部２２に装着した後、リテーナ６０がリテーナ収容部２６に装着されるようになっているため、レバー収容部２２の開口部２４を拡開変形させなくてもレバー４０をレバー収容部２２に装着することができ、レバー４０の組み付け性を向上させることができる。また、外れ防止部（突起部６５、係合部６９）によってレバー４０の外れを防ぐことができ、レバー収容部２２の破損を防ぐことができる。
【００３５】
外れ防止部は、リテーナ６０における支持軸６４が形成された面に形成された突起部６５と、この突起部６５の先端に形成された係合部６９とからなり、突起部６５がレバー４０に形成された溝部４９に挿通され、係合部６９が溝部４９の周縁部５０に対してレバー４０の板厚方向に係合することでレバー４０が支持軸６４から外れることが防止されている構成としてもよい。このような構成によると、レバー４０の一部に溝部４９を形成してこの溝部４９に突起部６５を挿通させるだけでよいため、リテーナ６０の形状や大きさに合わせて外れ防止部（突起部６５、係合部６９）を設ける位置を自由に設定することができる。
【００３６】
リテーナ６０は、リテーナ収容部２６から一部飛び出した仮係止位置とリテーナ収容部２６に全て収容された本係止位置との間を移動可能とされており、レバー４０は、支持軸６４が嵌合する軸孔４７を有し、仮係止位置ではレバー４０が回動可能に支持される程度に支持軸６４の一部が軸孔４７に嵌合している構成としてもよい。このような構成によると、仮係止位置で支持軸６４の一部が軸孔４７に嵌合することから、仮係止位置と本係止位置のいずれにおいてもレバー４０を回動可能に支持することができる。
【００３７】
仮係止位置では突起部６５の係合部６９が溝部４９の周縁部５０に対してレバー４０の板厚方向と直交する方向から当接することでレバー４０が回動不能となる構成としてもよい。このような構成によると、リテーナ６０が仮係止位置にあるときにレバー４０が不意に回動してしまうことを防止できる。
【００３８】
レバー４０は、レバー収容部２２から一部飛び出した初期位置とレバー収容部２２に全て収容された嵌合位置との間を回動可能に支持軸６４に支持されており、レバー４０をレバー収容部２２に対して嵌合位置に装着した後、リテーナ６０をリテーナ収容部２６に対して仮係止位置に装着することで、レバー４０が初期位置側へ回動不能となる構成としてもよい。このような構成によると、レバー４０が初期位置で電線に引っ掛かる等して力を受けたとしても、外れ防止部によってレバー４０の引き上げが防止され、レバー収容部２２の開口部２４を拡開変形させることはなく、レバー収容部２２が破損することはない。また、リテーナ６０が仮係止位置にあるときにレバー４０が嵌合位置から初期位置側へ回動してしまうことを防止できる。
【００３９】
＜他の実施形態＞
本発明は上記記述及び図面によって説明した実施形態に限定されるものではなく、例えば次のような実施形態も本発明の技術的範囲に含まれる。
（１）上記実施形態ではレバー４０のカム板４１に溝部４９を形成しているものの、本発明によると、必ずしも溝部を設けなくてもよい。その場合、レバー４０のカム板４１の周縁部に対して外周側から係合部を引っ掛けるようにしてもよい。
【００４０】
（２）上記実施形態では突起部６５の先端に一対の係合部６９を設けているが、本発明によると、突起部６５の先端に係合部６９を一つだけ設けてもよい。
【００４１】
（３）上記実施形態ではリテーナ６０に支持軸６４を設けているものの、本発明によると、リテーナ６０とは別の部材に支持軸を設けてもよい。
【００４２】
（４）上記実施形態ではレバー４０にカム溝５２が形成されているものの、本発明によると、レバー４０にカムピンを形成してもよい。
【００４３】
（５）上記実施形態ではレバー４０をレバー収容部２２に後方から装着しているものの、本発明によると、レバー４０をレバー収容部に側方から装着してもよい。
【００４４】
（６）上記実施形態では軸部材として仮係止位置と本係止位置の間を移動可能とされたリテーナ６０を例示しているものの、本発明によると、雌端子をキャビティに挿入した後、本係止位置に直接組み付けるリテーナを軸部材としてもよい。
【００４５】
（７）上記実施形態では仮係止位置で係合部６９が周縁部５０に当接することでレバー４０が嵌合位置に保持されているものの、本発明によると、必ずしも係合部が周縁部に当接しないものでもよい。
【符号の説明】
【００４６】
１０…レバー式コネクタ
２０…ハウジング
２２…レバー収容部
２４…開口部
２６…リテーナ収容部（軸部材収容部）
４０…レバー
４７…軸孔（支持凹部）
４９…溝部
５０…周縁部
６０…リテーナ（軸部材）
６４…支持軸
６５…突起部（外れ防止部）
６９…係合部（外れ防止部）
【図１】
2015099718.tif 000003
【図２】
2015099718.tif 000004
【図３】
2015099718.tif 000005
【図４】
2015099718.tif 000006
【図５】
2015099718.tif 000007
【図６】
2015099718.tif 000008
【図７】
2015099718.tif 000009
【図８】
2015099718.tif 000010
【図９】
2015099718.tif 000011
【図１０】
2015099718.tif 000012
【図１１】
2015099718.tif 000013
【図１２】
2015099718.tif 000014
【図１３】
2015099718.tif 000015
【図１４】
2015099718.tif 000016
【図１５】
2015099718.tif 000017
【図１６】
2015099718.tif 000018
【図１７】
2015099718.tif 000019
【図１８】
2015099718.tif 000020
【図１９】
2015099718.tif 000021
【図２０】
2015099718.tif 000022
【図２１】
2015099718.tif 000023
【図２２】
2015099718.tif 000024
【図２３】
2015099718.tif 000025
【図２４】
2015099718.tif 000026